(57)【要約】【課題】保存されている録画番組中の所望のシーンを容易且つ効率的に再生できるようにする。【解決手段】番組再生装置は、少なくとも１つのチャンネルの番組を受信して録画することができる。この番組再生装置においては、抽出再生情報を取得することで、その抽出再生情報に従って、録画されている録画番組の中から特定のシーンを自動的に抽出して再生させることができる。【選択図】図４
2016143904.tif 000002
【特許請求の範囲】
【請求項１】
少なくとも１つのチャンネルの放送番組の放送信号を受信する受信部と、
前記受信部により受信された前記放送信号に基づいて前記放送番組のデータを記憶することにより前記放送番組を録画する録画部と、
前記録画部により録画された放送番組である録画番組のうち少なくとも１つの中からそれぞれ少なくとも１つの特定シーンを抽出して再生させるための、前記特定シーンを有する前記録画番組のチャンネル及びその録画番組中のその特定シーンの時間帯を示す情報を含む抽出再生情報を取得する情報取得部と、
前記情報取得部により取得された抽出再生情報に基づいて、前記録画部により録画された録画番組のデータの中から前記特定シーンのデータを抽出し、その抽出したデータに基づいて前記特定シーンを再生する抽出再生部と、
を備えることを特徴とする番組再生装置。
【請求項２】
請求項１に記載の番組再生装置であって、
前記録画部により録画された録画番組の中から、所定のシーン特定方法に従って前記特定シーンを少なくとも１つ特定するシーン特定部と、
前記シーン特定部により特定された特定シーンを再生させるための前記抽出再生情報を生成する情報生成部と、
を備えることを特徴とする番組再生装置。
【請求項３】
請求項１又は請求項２に記載の番組再生装置であって、
前記情報取得部により取得された抽出再生情報に基づいて、前記録画部により録画された録画番組のデータの中から前記特定シーンのデータを抽出し、その抽出した特定シーンのデータに基づいて前記特定シーンの動画データを生成する動画データ生成部を備え、
前記抽出再生部は、前記情報取得部により取得された抽出再生情報に基づく前記特定シーンの再生を、前記動画データ生成部により生成された、前記抽出再生情報に対応した前記動画データを再生することにより実行する
ことを特徴とする番組再生装置。
【発明の詳細な説明】
【技術分野】
【０００１】
本発明は、録画された放送番組を再生する番組再生装置に関する。
【背景技術】
【０００２】
複数のチューナを備え、複数の放送番組を同時に録画することが可能な装置が知られている。例えば、複数チャンネルの全ての放送番組を録画する技術が提案されている（特許文献１参照）。
【先行技術文献】
【特許文献】
【０００３】
【特許文献１】特開２０１０−１１９１４０号公報
【発明の概要】
【発明が解決しようとする課題】
【０００４】
録画して保存しておくことが可能な放送番組の数は今後もますます増加していくことが予想される。
録画されて保存されている放送番組（録画番組）が多いほど、その保存中の録画番組の中から再生したい所望の録画番組を探し出すことが難しくなり、その録画番組の中から所望のシーンを探し出すことはより難しくなる。
【０００５】
本発明の一側面においては、保存されている録画番組中の所望のシーンを容易且つ効率的に再生できるようにすることが望ましい。
【課題を解決するための手段】
【０００６】
本発明の１つの局面における番組再生装置は、少なくとも１つのチャンネルの放送番組の放送信号を受信する受信部と、その受信部により受信された放送信号に基づいて放送番組のデータを記憶することにより放送番組を録画する録画部と、その録画部により録画された放送番組である録画番組のうち少なくとも１つの中からそれぞれ少なくとも１つの特定シーンを抽出して再生させるための、その特定シーンを有する録画番組のチャンネル及びその録画番組中のその特定シーンの時間帯を示す情報を含む抽出再生情報を取得する情報取得部と、その情報取得部により取得された抽出再生情報に基づいて、録画部により録画された録画番組のデータの中から特定シーンのデータを抽出し、その抽出したデータに基づいて特定シーンを再生する抽出再生部と、を備える。
【０００７】
なお、本発明において「再生」とは、動画及び音声の双方を視聴可能に出力することのみを意味しているわけではない。本発明において「再生」とは、例えば動画は出力するものの音声は出力しないような再生方法、或いは音声は出力するものの動画は出力しないような再生方法など、再生対象の録画番組データ全体のうち一部のみを出力させることも含む。
【０００８】
このように構成された番組再生装置によれば、ユーザは、保存されている録画番組の中から、所望のシーンを、抽出再生情報に基づいて容易且つ効率的に再生することができる。
【０００９】
なお、特定シーンの数は１つでも複数でもよい。また、１つの録画番組から抽出可能な特定シーンの数についても１つでも複数でもよい。また、特定シーンの再生は、再生の都度、録画番組のデータから直接その特定シーンのデータを抽出してそれを再生するようにしてもよいし、一度抽出して再生した特定シーンのデータは記憶しておき、次に再びその特定シーンを再生させる場合には、録画番組のデータから抽出せずに、記憶されているその特定シーンのデータを再生するようにしてもよい。
【００１０】
上記構成の番組再生装置において、さらに、録画部により録画された録画番組の中から所定のシーン特定方法に従って特定シーンを少なくとも１つ特定するシーン特定部と、そのシーン特定部により特定された特定シーンを再生させるための抽出再生情報を生成する情報生成部と、を備えてもよい。
【００１１】
このように構成された番組再生装置によれば、ユーザは自ら、シーン特定方法に従って抽出再生情報を生成することができる。
これにより、ユーザは、自らがその生成した抽出再生情報を用いて所望のシーンを容易且つ効率的に再生できる。また、例えば、生成した抽出再生情報を例えばサーバにアップロードするなどして複数のユーザで共有できるようにすれば、複数のユーザ間で各々が生成した抽出再生情報を提供し合うことが可能となる。
【００１２】
上記構成の番組再生装置において、さらに、動画データ生成部を備えてもよい。動画データ生成部は、情報取得部により取得された抽出再生情報に基づいて、録画部により録画された録画番組のデータの中から特定シーンのデータを抽出し、その抽出した特定シーンのデータに基づいて特定シーンの動画データを生成する。そして、抽出再生部は、情報取得部により取得された抽出再生情報に基づく特定シーンの再生を、動画データ生成部により生成された動画データを再生することにより実行するようにしてもよい。
【００１３】
このように構成された番組再生装置によれば、所望の抽出再生情報に対応した特定シーンを動画データとして残しておくことができる。そのため、仮に所望の抽出再生情報を取得できなくなったり、所望の抽出再生情報が示す特定シーンが含まれている元の録画番組のデータ自体が消去されてしまったりしても、動画データが残っている限り、所望の抽出再生情報に対応した特定シーンを容易且つ効率的に再生することができる。
【図面の簡単な説明】
【００１４】
【図１】通信システムの構成を示すブロック図である。
【図２】放送番組録再装置の構成を示すブロック図である。
【図３】録画番組一覧を示す説明図である。
【図４】抽出再生情報に従って抽出再生が行われる手順を説明するための説明図である。
【図５】抽出再生情報一覧画面を示す説明図である。
【図６】抽出再生情報の作成手順の前半部を説明するための説明図である。
【図７】抽出再生情報の作成手順の後半部を説明するための説明図である。
【図８】録画番組再生処理のフローチャートである。
【図９】抽出再生処理のフローチャートである。
【図１０】抽出再生情報作成処理のフローチャートである。
【図１１】シーン抽出処理のフローチャートである。
【図１２】録画番組削除処理のフローチャートである。
【図１３】抽出再生情報作成処理の他の例を示すフローチャートである。
【発明を実施するための形態】
【００１５】
以下、本発明が適用された実施形態について、図面を用いて説明する。
（１）システム構成
図１に示す通信システムは、複数の放送番組録再装置１，２００と、テレビ３と、無線ルータ５と、サーバ７と、パーソナルコンピュータ（以下「ＰＣ」と略す）９と、携帯通信端末１１と、を備える。
【００１６】
（１−１）システムの概要
ＰＣ９及び携帯通信端末１１は、各種の入出力装置を備えると共に各種のアプリケーションソフト（以下「アプリ」と略す）を実行させることにより各種機能を実現させることが可能な情報処理装置である。このうち特に携帯通信端末１１は、無線により他の各種装置とデータ通信を行うことができる。
【００１７】
放送番組録再装置１は、ネットワーク１０（例えば有線ＬＡＮ）を介してＰＣ９や無線ルータ５と接続されている。無線ルータ５は、ブロードバンドルータ機能と無線中継機能（例えば無線ＬＡＮのアクセスポイント機能）を備えた通信中継装置である。放送番組録再装置１は、ネットワーク１０を介してＰＣ９とデータ通信可能である。放送番組録再装置１と携帯通信端末１１とは、無線ルータ５を中継して相互にデータ通信可能である。
【００１８】
また、無線ルータ５は、インターネット１００に接続されている。インターネット１００には様々な情報処理装置が接続されており、その中の１つに、サーバ７や、放送番組録再装置２００などがある。なお、図１に示されている２つの放送番組録再装置１，２００のうち、図面上インターネット１００に直接接続されているように図示されている（実際はルータ等の中継装置を介して接続されている）放送番組録再装置２００を、以下、外部録再装置２００と称する。放送番組録再装置１と外部録再装置２００は、本実施形態では同じ構成である。
【００１９】
放送番組録再装置１は、無線ルータ５を介してインターネット１００に接続でき、これによりインターネット１００経由でサーバ７とデータ通信を行うことができる。外部録再装置２００も、インターネット１００経由でサーバ７とデータ通信を行うことができる。
【００２０】
サーバ７には、後述する抽出再生情報が記憶されている。放送番組録再装置１や外部録再装置２００は、抽出再生情報を生成してサーバ７へアップロードすることが可能に構成されている。サーバ７は、アップロードされた抽出再生情報を記憶する機能や、外部装置からのダウンロード要求に応じて要求対象の抽出再生情報を要求元へ送信する機能などを有する。
【００２１】
（１−２）放送番組録再装置の構成
放送番組録再装置１は、複数のテレビ放送局から放送（送信）されているテレビジョン放送の放送信号を受信し、その放送信号から放送データを復調して、その放送データの表す放送番組を再生するライブ再生機能を有する。なお、本実施形態において、放送番組にはＣＭも含まれる。つまり、本実施形態において放送番組とは、放送局から送信される放送信号に含まれていて映像及び音声の少なくとも一方にて再生可能な全ての放映コンテンツを意味する。また、放送データとは、放送番組（具体的には放送番組の映像や音声など）を表すデータであり、放送番組の再生に必要なデータが少なくとも含まれる。
【００２２】
また、放送番組録再装置１は、放送データを保存（即ち放送番組を録画）する録画機能や、その録画機能によって録画された放送番組である録画番組を再生する録画番組再生機能を有する。放送番組や録画番組の再生は、放送番組録再装置１が備える再生ユニット２７（図２参照）によって行うことができる。
【００２３】
また、放送番組録再装置１は、テレビ３に再生用のデータを出力することによりテレビ３で番組を再生させることもできる。また、放送番組や録画番組は、放送番組録再装置１に接続されたテレビ３のほか、放送番組録再装置１とネットワーク１０を介して接続されたＰＣ９や携帯通信端末１１などによっても、これら各装置へ再生に必要なデータを送信することで行うことができる。
【００２４】
放送番組録再装置１が有する各種機能のうち少なくとも上記のライブ再生機能、録画機能、及び録画番組再生機能は、本実施形態では、これら各機能を実現するためのアプリである録再アプリが実行されることによって実現される。ただし、アプリ実行によってソフト的に上記各機能が実現されることは必須ではない。例えば、上記各機能を実現するためのロジック回路を構成してハードウェア的に上記各機能が実現される構成であってもよい。
【００２５】
録再アプリは、放送番組録再装置１にインストールされている。ＰＣ９や携帯通信端末１１においても、例えばサーバ７から録再アプリをダウンロードしてインストールすることができる。これにより、ＰＣ９や携帯通信端末１１においても、放送番組録再装置１に接続して録再アプリを実行させることで、放送番組録再装置１で受信されている放送番組をリアルタイムで再生したり、放送番組録再装置１に録画されている録画番組を再生したりすることができる。つまり、放送番組録再装置１を遠隔から操作することができる。
【００２６】
ただし、以下の説明では、放送番組の再生や録画番組の再生を、放送番組録再装置１を直接操作することにより放送番組録再装置１において直接実行させるケースを想定して説明する。
【００２７】
放送番組録再装置１は、図２に示すように、放送受信ユニット２１と、操作入力ユニット２２と、音入力ユニット２３と、有線通信ユニット２４と、無線通信ユニット２５と、記憶ユニット２６と、再生ユニット２７と、テレビ接続ユニット２８と、制御ユニット３０と、を備える。
【００２８】
放送受信ユニット２１は、放送信号を受信し、その放送信号を復調することによりデジタルの放送データを取得して、その放送データを制御ユニット３０へ出力する。放送受信ユニット２１は、複数のチューナを備え、複数のチャンネル（例えば最大１０ｃｈ分の地上デジタル放送）の放送データを並列的に（例えば時分割多重伝送で）制御ユニット３０へ出力することができる。
【００２９】
操作入力ユニット２２は、ユーザによる各種入力操作を受け付け、その受け付けた操作内容を示す操作データを制御ユニット３０へ出力する。操作入力ユニット２２は、本実施形態では、例えばキーボードや操作スイッチ、操作ボタン、タッチパネルなどの各種の入力インタフェースを備えている。タッチパネルは、再生ユニット２７を構成する表示画面に重畳配置される。そのため、操作入力ユニット２２は、これら各種の入力インタフェースを介した入力操作を受け付けることができる。
【００３０】
音入力ユニット２３は、ユーザの音声をマイクロフォンで入力し、その入力した音声を表す音声情報（本実施形態ではデジタルの音声データ）を制御ユニット３０へ出力する。
有線通信ユニット２４は、放送番組録再装置１と他の各種情報処理装置との、ネットワーク１０を介した有線によるデータ通信を実現するためのインタフェースユニットである。制御ユニット３０は、各種データを有線通信ユニット２４を介してネットワーク１０へ送出することができる。また、ネットワーク１０を介して入力された各種データは有線通信ユニット２４を介して制御ユニット３０に入力される。
【００３１】
無線通信ユニット２５は、放送番組録再装置１と他の各種情報処理装置との、無線によるデータ通信を実現するためのインタフェースユニットである。無線通信ユニット２５を備えていることにより、放送番組録再装置１は、携帯通信端末１１などの各種の無線通信端末と無線にて直接データ通信を行うことも可能である。また、無線通信ユニット２５を介した無線通信によってサーバ７と直接データ通信を行うこともできる。
【００３２】
記憶ユニット２６は、制御ユニット３０から入力された放送データを記憶することによりその放送データが示す放送番組を録画する。つまり、記憶ユニット２６は、放送番組を録画する機能を有する。本実施形態の記憶ユニット２６は、放送受信ユニット２１において受信可能な全チャンネル（例えば１０チャンネル）の放送データについて、一定期間（例えば４週間）は全番組を録画することが可能な程度の記憶容量を有する。
【００３３】
再生ユニット２７は、制御ユニット３０から放送番組のデータ（放送データ）或いは記憶ユニット２６に録画されている録画番組のデータ（録画データ）が入力され、その入力されたデータの表す番組を再生する。具体的には、再生対象の番組の映像を表示画面（例えば液晶ディスプレイ）に表示させ、再生対象の番組の音（音声や音楽等）をスピーカから出力させる。また、再生ユニット２７は、制御ユニット３０から入力した番組以外の各種画像（例えば各種ボタン）を表示画面に表示させることもある。
【００３４】
なお、録画データとは、放送受信ユニット２１で受信、復調された放送データのうち、記憶ユニット２６により記憶された（即ち録画された）放送番組（即ち録画番組）のデータを意味する。
【００３５】
テレビ接続ユニット２８は、再生対象の番組のデータを外部の再生装置へ出力するためのインタフェースユニットである。テレビ接続ユニット２８に、動画再生機能を備えた各種の再生装置を接続することで、再生対象の番組をその接続された再生装置で再生させることができる。
【００３６】
制御ユニット３０は、制御部３１及びメモリ３２などを備える。制御部３１は、本実施形態ではマイクロプロセッサユニット（いわゆるＣＰＵ）を中心に構成されている。制御ユニット３０においては、主に、メモリ３２に記憶されている各種アプリが制御部３１で実行されることにより、種々の機能が実現される。なお、制御部３１は、メモリ３２以外の他の記憶装置（例えば記憶ユニット２６）に記憶されている各種アプリに基づいて種々の機能を実現することもできる。
【００３７】
（２）制御ユニットの機能
制御ユニット３０により実現される機能には、少なくとも、既述のライブ再生機能、録画機能、及び録画番組再生機能が含まれる。
【００３８】
録画機能は、具体的には、放送受信ユニット２１で受信可能な最大チャンネル数（例えば１０チャンネル分）の放送番組を、常時並列的に、記憶ユニット２６に録画する機能である。既述の通り、録画された番組は、一定期間（例えば４週間）は保持されるが、一定時間経過後は、後述する録画番組削除処理（図１２参照）に従って削除或いはデータ量が削減される。ただし、ユーザ設定によって、特定の録画番組を、そのままの状態で保存させ続ける（つまり削除或いはデータ量削減の対象から外す）ことも可能である。
【００３９】
なお、記憶ユニット２６には、録画番組毎に、その録画番組のＥＰＧ情報（例えばチャンネル、放送日、放送開始時刻、放送終了時刻、番組名、番組内容、出演者名、ジャンルなど）が対応付けられて記憶される。なお、ＥＰＧ情報は、放送データに含まれて放送局から送信され、定期的に取得することができる。
【００４０】
録画番組再生機能には、主に、記憶ユニット２６に記憶されている録画番組の中からユーザにより選択された録画番組を再生する基本的な再生機能と、抽出再生情報に従って再生を行う抽出再生機能とが含まれる。このうち、本実施形態の放送番組録再装置１が有する最も特徴的な機能の１つが、抽出再生機能である。そこで、抽出再生機能についてより詳しく説明する。
【００４１】
（２−１）抽出再生機能
抽出再生機能は、録画番組の中から、所望のシーンを少なくとも１つ抽出して、その抽出したシーンを順次再生させる機能である。どの録画番組のどのシーンをどのような順序で再生させるかを決定づけるのが抽出再生情報である。抽出再生情報は、ユーザ自らが作成できるが、他のユーザにより作成されてサーバ７にアップロードされた抽出再生情報をサーバ７からダウンロードして利用することもできる。
【００４２】
例えば、図３に示すように、各チャンネルにおける少なくとも１月１５日（木）〜１６日（金）の二日分の全放送番組が全て録画されているものとする。即ち、図３は、録画されている録画番組の一覧が番組表形式で表示されている。図３の録画番組一覧は、再生ユニット２７の表示画面に表示させることができ、ユーザは、その中から所望の録画番組を選択して再生させることができる。この録画番組一覧には、録画番組の番組名のほか、図示は省略したものの、録画番組毎に、対応するＥＰＧ情報の一部又は全てが表示される。
【００４３】
図３の例では、ｃｈ１で１５日の１９時から放送された番組は、「プロ野球中継」（名古屋チームと東京チームの対戦）である。また、ｃｈ３で同日２０時５４分から放送された番組「プロ野球速報」、ｃｈ２で同日２１時から放送された番組「９時のニュース」、ｃｈ３で同日２３時から放送された番組「一日の出来事」、ｃｈ１で同日２３時４０分から放送された番組「スポーツニュース」、及びｃｈ２で１６日の７時３０分から放送された番組「スポーツ＆エンタメ」においては、上記「プロ野球中継」の試合結果に関するニュースや話題が含まれている。これら各番組は全て録画されている。本例では、例えば１５日の試合で名古屋チームが好ゲームを展開して勝利したものとして説明する。
【００４４】
この例においては、プロ野球が好きで特に名古屋チームのファンであれば、名古屋チームが勝ったことを伝えるニュースを１つでも多く見てみたいと考えることが容易に予想される。その場合、一般的に考えられる再生方法は、録画番組一覧の中から、名古屋チームの勝利を伝えていると思われる番組を予想して、その録画番組を再生させ、再生させながら所望のシーン（本例では名古屋チームの試合に関する報道シーン）を探す、という再生方法が考えられる。しかし、そのような再生方法は、ユーザにとって非常に面倒であり、時間もかかる。名古屋チームの試合を報道している録画番組が容易にわかると便利であることはもちろん、その録画番組の中のどの時間帯で報道されているのかまで容易にわかるとより便利であり、さらには、報道されている各録画番組中の所望のシーンが順次自動的に再生されるととても便利である。
【００４５】
このような要望に応えるために本実施形態の放送番組録再装置１が備えている機能が、抽出再生機能である。例えば、図４（ａ）に例示するように、１月１５日にｃｈ３で２０時５４分から放送された「プロ野球速報」の中では、２０時５５分２秒から２０時５７分３０秒までの２分２８秒の間（この間をシーンＡという）、名古屋チームの試合に関する報道がなされたものとする。また例えば、図４（ａ）に例示するように、同日にｃｈ２で２１時から放送された「９時のニュース」の中では、２１時４５分４３秒から２１時４８分１０秒までの２分２７秒の間（この間をシーンＢという）、名古屋チームの試合に関する報道がなされたものとする。また例えば、図４（ａ）に例示するように、同日にｃｈ３で２３時から放送された「一日の出来事」の中では、２３時２０分００秒から２３時２５分１０秒までの５分１０秒の間（この間をシーンＣという）、名古屋チームの試合に関する報道がなされたものとする。また例えば、図４（ａ）に例示するように、同日にｃｈ１で２３時４０分から放送された「スポーツニュース」の中では、２３時５５分２８秒から２４時３分２０秒までの７分５２秒の間（この間をシーンＤという）、名古屋チームの試合に関する報道がなされたものとする。また例えば、図４（ａ）に例示するように、翌１６日にｃｈ２で７時３０分から放送された「スポーツ＆エンタメ」の中では、７時３５分２秒から７時３９分２０秒までの４分１８秒の間（この間をシーンＥという）、名古屋チームの試合に関する報道がなされたものとする。
【００４６】
これに対し、ユーザは、例えば、図４（ｂ）に示すような抽出再生情報を、サーバ７からダウンロードして取得したり、自ら作成したりすることができる。そして、その抽出再生情報に基づいて録画番組を再生させることで、シーンＡ〜Ｅを順次連続的に再生させることができる。
【００４７】
抽出再生情報には、図４（ｂ）に示すように、上記各シーンＡ〜Ｅそれぞれについて、再生順、チャンネル、放送年月日、対象シーンの開始時刻と終了時刻、番組のタイトル、対象シーンの時間、識別子、などが含まれる。また、当該抽出再生情報の名称（本例では『１／１５，１６名古屋チームニュースダイジェスト』）も含まれる。
【００４８】
この図４（ｂ）の抽出再生情報に基づいて録画番組を再生させることで、『１／１５，１６名古屋チームニュースダイジェスト』の動画が再生される。即ち、図４（ｃ）に示すように、指定された順番（本例ではシーンＡ，Ｂ，Ｃ，Ｄ，Ｅの順）で順次、対応する録画データから各シーンのデータが読み出されて再生される。なお、本実施形態において「ダイジェスト」とは、要約という一般的な意味だけでなく、録画番組全体から特定のシーンを少なくとも１つ抽出するという意味も含む。
【００４９】
図４に示した抽出再生情報はあくまでも一例である。ユーザは、自ら抽出再生情報を自由に作成して、それを自身で利用したり、サーバ７にアップロードして他のユーザが利用できるようにしたりすることができる。逆に、ユーザは、サーバ７に蓄積されている、他のユーザが作成した抽出再生情報を、選択的にダウンロードして利用することができる。もちろん、ユーザは、自身が作成してサーバ７にアップロードした抽出再生情報を自身でダウンロードして利用することもできる。
【００５０】
サーバ７から抽出再生情報をダウンロードしたい場合、ユーザは、サーバ７に接続して所定の操作を行うことで、サーバ７から、図５に例示するような抽出再生情報一覧画面５０のデータをダウンロードして、表示画面に表示させる。抽出再生情報一覧画面５０には、様々なユーザにより作成されてサーバ７にアップロードされ、ダウンロード可能となっている抽出再生情報毎に、それを示す情報枠５１，５２，５３，５４・・・が一覧表示される。各情報枠５１，５２・・・には、対応する抽出再生情報の名称、内容が表示されると共にダウンロードボタン５６が表示される。
【００５１】
ユーザは、ダウンロードして利用したい抽出再生情報があった場合、その抽出再生情報を示す情報枠内のダウンロードボタン５６を押下（例えばタッチパネルを介したタッチ操作）することで、その抽出再生情報をダウンロード、保存して、以後利用することができる。
【００５２】
なお、図５の例から明らかなように、抽出再生情報としては、ＣＭをシーンに含めることができる（例えば情報枠５３，５４参照）。つまり、特定の番組（コンテンツ）であるかＣＭであるかにかかわらず、録画されている内容全てを対象として、抽出再生情報を作成でき、また利用することができる。
【００５３】
（２−２）抽出再生情報作成機能
本実施形態の放送番組録再装置１は、抽出再生情報を作成する抽出再生情報作成機能を備えている。この抽出再生情報作成機能の概要を、図６〜図８を用いて説明する。
【００５４】
抽出再生情報を作成するためには、まず、シーンを抽出する対象となる番組を選択する必要がある。ユーザが、録画番組全体の中から抽出再生情報に含めたい所望の録画番組を選択する操作（詳細は省略）を行うと、表示画面に、図６（ａ）に例示するような作成準備画面９０が表示される。
【００５５】
作成準備画面９０には、選択した録画番組を再生させるための再生画面９１と、再生ボタン９２と、一時停止ボタン９３と、巻き戻しボタン９４と、早送りボタン９５と、戻りボタン９６と、新規作成ボタン９７と、追加作成ボタン９８と、が表示される。
【００５６】
再生ボタン９２を押下すると、選択した録画番組が再生画面９１に再生される。再生中に一時停止ボタン９３を押下すると再生が一時停止される。巻き戻しボタン９４を押下することで再生位置を戻すことができ、逆に早送りボタン９５を押下することで再生位置を進めることができる。戻りボタン９６を押下すると、表示画面の表示内容を１つ前の画面に戻すことができる。
【００５７】
抽出再生情報を作成したい場合は、新規作成ボタン９７又は追加作成ボタン９８のどちらかを押下すればよい。新規作成ボタン９７を押下すると、新規に抽出再生情報を作成することができる。新規作成ボタン９７を押下した場合は、図７（ａ）に例示するシーン抽出実行画面１２０が表示される。
【００５８】
作成準備画面９０において追加作成ボタン９８を押下すると、すでに作成されてメモリ３２又は記憶ユニット２６に保存（記憶）されている抽出再生情報に対して再生対象のシーンを追加することができる。具体的に、追加作成ボタン９８を押下すると、登録済みの抽出再生情報の一覧が表示され、その中から、シーンを追加させたい追加対象の抽出再生情報を選択すると、図６（ｂ）に例示するような、選択した追加対象の抽出再生情報の編集画面１１０が表示される。
【００５９】
編集画面１１０には、選択完了ボタン１１１，戻りボタン１１２，追加選択チェックボックス１１３、削除選択チェックボックス１１４が表示される。戻りボタン１１２を押下すると、１つ前の画面に戻ることができる。削除選択チェックボックス１１４のうち、削除したいシーンのチェックボックスを選択して選択完了ボタン１１１を押下すると、当該抽出再生情報から、選択したシーンの情報が削除される。
【００６０】
追加選択チェックボックス１１３のうち、新たにシーンを追加したい位置のチェックボックスを選択して選択完了ボタン１１１を押下すると、追加位置としてその選択した位置が決定され、表示画面の内容が図７（ａ）に例示するシーン抽出実行画面１２０に切り替わる。
【００６１】
シーン抽出実行画面１２０には、選択した録画番組を再生させるための再生画面１２１と、再生ボタン１２２と、一時停止ボタン１２３と、巻き戻しボタン１２４と、早送りボタン１２５と、開始位置ボタン１２６と、終了位置ボタン１２７と、登録完了ボタン１２８と、キャンセルボタン１２９と、音声認識ボタン１３１と、画像認識ボタン１３２と、テキスト認識ボタン１３３と、が表示される。
【００６２】
開始位置ボタン１２６は、追加させたいシーンの開始位置を指定するためのボタンであり、終了位置ボタン１２７は追加させたいシーンの終了位置を指定するためのボタンである。キャンセルボタン１２９を押下すると、１つ前の画面に戻ることができる。
【００６３】
ユーザは、再生ボタン１２２を押下して録画番組の再生を開始させた後、所望のタイミングで開始位置ボタン１２６を押下すると、その再生位置にシーン開始フラグが設定される。その後、終了位置ボタン１２７を押下すると、そのときの再生位置にシーン終了フラグが設定される。これにより、シーン開始フラグ設定位置からシーン終了フラグ設定位置までの間のシーンが、抽出再生情報の１つとして決定される。他に追加したいシーンがあれば、同様の手順でシーンを追加することができる。そして、登録完了ボタン１２８を押下すると、抽出再生情報の作成が完了し、作成した抽出再生情報が登録（新規登録又は更新登録）される。このとき、表示画面には、図７（ｂ）に例示するような、登録完了画面１４０が表示される。
【００６４】
図７（ｂ）の登録完了画面１４０は、図６（ｂ）に例示した編集画面１１０において、シーン追加位置として、現在登録されている２つのシーンの間が選択され、そこにシーンが１つ追加されたことで、結果として３つのシーンの情報からなる抽出再生情報が生成、登録されたことを示している。
【００６５】
登録させたいシーンは、上記方法以外に、音声認識、画像認識、及びテキスト認識のうち何れかを利用して決めることもできる。
例えば、シーン抽出実行画面１２０（図７（ｂ）参照）において、音声認識ボタン１３１を押下すると、音声の入力を促すテキストが表示画面に表示されると共に、音声入力待ちの状態となる。このとき、ユーザが音声を発声するなどして所望の音声を音入力ユニット２３を介して入力させると、その入力された音声に対する認識処理が実行される。例えば、入力された音声がテキストに変換される。そして、選択されている録画番組の中から、その認識した音声が発せられる（例えば出演者がその言葉を発する）シーンを少なくとも含む所定時間帯のシーンが抽出されて、抽出再生情報の１つとして決定される。
【００６６】
なお、認識対象の音声は、音入力ユニット２３を介して直接入力させる方法以外の他の方法で入力できるようにしてもよい。例えば、認識させたい音声データを外部からデータ通信或いはメモリカード等を介して入力できるようにしてもよい。また例えば、録画番組中から、認識させたい所望の音声が発せられるシーンを指定して、そのシーン中に発せられている音声を認識させるようにしてもよい。また、認識可能な音声は、特定の言葉に限らず、特定の音や音楽、特定の人物の声などであってもよい。特定の人物の声の場合、例えばその人物の声紋を解析することで、その解析結果に基づき、同じ声紋の声が発声されているシーン（つまりその人物が何か喋っているシーン）を抽出することができる。
【００６７】
また例えば、シーン抽出実行画面１２０（図７（ｂ）参照）において、画像認識ボタン１３２を押下すると、画像の指定を促すテキストが表示画面に表示されると共に、画像指定待ちの状態となる。このとき、ユーザが、タッチパネルへのタッチ操作などによって、録画番組中の所望の画像（例えば特定の人物の顔や特定の物品など）を選択すると、その選択された画像の認識処理が実行される。なお、画像の具体的な選択方法としては、例えば、録画番組中にある人物が登場した場合に一時停止させてその人物を丸で囲むとか、録画番組中にある自動車が登場した場合に一時停止させてその自動車の画像をタッチすること、などが考えられる。選択された画像について画像認識処理が実行されると、録画番組の中から、その認識した画像が表示されるシーンを少なくとも含む所定時間帯のシーンが抽出されて、抽出再生情報の１つとして決定される。
【００６８】
また例えば、シーン抽出実行画面１２０（図７（ｂ）参照）において、テキスト認識ボタン１３３を押下すると、テキストの入力を促す画面が表示されると共に、テキスト入力待ちの状態となる。このとき、ユーザが所望のテキストを入力すると、選択されている録画番組の中から、その入力されたテキストが表示されるシーンを含む所定時間帯のシーンが、抽出再生情報の１つとして決定される。なお、ここでいうテキストが表示されるシーンとは、字幕放送番組の場合には字幕としてそのテキストが表示されるシーンが含まれる。
【００６９】
このように、ユーザは、選択した録画画像に対し、様々な方法で、抽出再生情報に含めたいシーンを抽出することができ、その抽出したシーンが含まれる抽出再生情報を作成することができる。
【００７０】
（３）録再アプリによる各種処理の説明
次に、放送番組録再装置１において、制御ユニット３０の制御部３１が録再アプリを実行することによって行われる各種処理について、図８〜図１２の各フローチャートを用いて説明する。なお、上述した抽出再生機能は、主に図９の抽出再生処理によって実現され、上述した抽出再生情報作成機能は、主に図１０の抽出再生情報作成処理によって実現される。
【００７１】
（３−１）録画番組再生処理
図８に示す録画番組再生処理は、記憶ユニット２６に録画されている録画番組の中から所望の録画番組を選択して再生させるための処理である。制御部３１は、図８の録画番組再生処理を開始すると、Ｓ１０で、録画番組の所定の検索要求操作があるか否か判断する。検索要求操作が無い場合は、Ｓ１５で、通常選択受付処理を実行することにより再生対象の録画番組を決定して、Ｓ７０に進む。Ｓ１５の通常選択受付処理は、ユーザによる、再生対象の録画番組の直接選択を受け付ける処理である。具体的には、例えば、表示画面に録画番組のリスト（例えば図３の録画番組一覧画面）を表示させ、その中から所望の録画番組をユーザに選択させて、その選択された録画番組を再生対象に決定する方法が挙げられる。
【００７２】
Ｓ１０で、検索要求操作が行われたと判断した場合は、Ｓ２０で、要求された検索方法を判断する。本実施形態では、録画番組をテキスト検索又は音声検索を用いて検索することができる。どちらの方法を用いて検索するかについてはユーザが指定することができる。
【００７３】
検索方法としてテキスト検索が指定されている場合は、Ｓ２５で、検索対象のテキストの入力を受け付ける。Ｓ３０では、Ｓ２５で入力された検索対象のテキストを含む録画番組をサーチする。テキストに基づく録画番組の具体的サーチ方法は種々考えられる。例えば、番組名に検索対象のテキストが含まれている録画番組をサーチしてもよいし、ＥＰＧ情報の中に検索対象のテキストが含まれている録画番組をサーチしてもよい。また例えば、放送データに字幕放送データが含まれている場合にはその字幕放送データも含めて録画番組として録画されるため、その場合は字幕放送データに検索対象のテキストが含まれている録画番組をサーチしてもよい。
【００７４】
Ｓ３５では、テキスト検索の結果を一覧表示する。即ち、検索対象のテキストを含む録画番組のサーチ結果を表示画面に一覧表示させる。Ｓ４０では、Ｓ３５で一覧表示させたサーチ結果に対する、ユーザによる再生対象の録画番組の選択操作を受け付ける。
【００７５】
Ｓ２０で、検索方法として音声検索が指定されている場合は、Ｓ４５で、検索対象の音声の入力を受け付ける。ユーザは、検索対象の音声を自ら発声するなどの種々の方法で、音入力ユニット２３を介して検索対象の音声を入力することができる。
【００７６】
Ｓ５０では、Ｓ４５で入力された音声の認識処理を行い、その認識した音声を検索対象として設定する。なお、音声認識処理の具体的方法は、抽出再生情報を音声認識を利用して生成する場合の既述の音声認識方法と同様である。
【００７７】
Ｓ５５では、Ｓ５０で設定された検索対象（即ち認識された音声）を含む録画番組をサーチする。Ｓ６０では、Ｓ５５によるサーチ結果を一覧表示する。即ち、検索対象の音声を含む録画番組のサーチ結果を表示画面に一覧表示させる。Ｓ６５では、Ｓ６０で一覧表示させたサーチ結果に対する、ユーザによる再生対象の録画番組の選択操作を受け付ける。
【００７８】
Ｓ７０では、Ｓ１５，Ｓ４０，又はＳ６５においてユーザにより選択された録画番組を、表示画面に再生させる。具体的に、選択された録画番組の録画データを読み込み、その録画データに基づいて録画番組を再生させる。
【００７９】
Ｓ７５では、その選択された録画番組について、ユーザによるプロテクト要求（例えば不図示のプロテクトボタンの押下）がなされたか否か判断する。ユーザは、録画番組毎に、その録画番組のデータを記憶ユニット２６から削除させないようにするためのプロテクト設定を要求することができる。
【００８０】
選択された録画番組について、ユーザによるプロテクト要求がなされた場合は、Ｓ８０で、その録画番組をプロテクト設定する。これにより、その録画番組については、プロテクト設定を解除するための所定の解除操作が成されない限り、記憶ユニット２６に記憶させ続けることができる。
【００８１】
（３−２）抽出再生処理
次に、図９の抽出再生処理について説明する。図９に示す抽出再生処理は、抽出再生情報に基づいて録画番組を再生させるための処理である。制御部３１は、ユーザにより所定の抽出再生要求操作が行われた場合、図９の抽出再生処理を実行する。
【００８２】
制御部３１は、図９の抽出再生処理を開始すると、Ｓ１１０で、ユーザによる、サーバ７への接続要求がなされたか否か、即ち抽出再生情報の、サーバ７からのダウンロード要求がなされたか否かを判断する。
【００８３】
サーバ７への接続要求（サーバ７からの抽出再生情報のダウンロード要求）がなされていない場合は、Ｓ１４０に進む。Ｓ１４０では、放送番組録再装置１の内部に保存されている抽出再生情報を表示画面に一覧表示させる。具体的には、図５に例示したような抽出再生情報一覧画面５０を表示させる。
【００８４】
Ｓ１４５では、抽出再生情報一覧画面５０に対する、ユーザによる再生実行対象の抽出再生情報の選択操作を受け付ける。Ｓ１５０では、Ｓ１４５で選択された抽出再生情報を再生実行対象に指定する。
【００８５】
Ｓ１１０で、サーバ７への接続要求（サーバ７からの抽出再生情報のダウンロード要求）がなされた場合は、Ｓ１１５に進む。Ｓ１１５では、サーバ７から、抽出再生情報一覧画面５０（図５参照）のデータを取得する。Ｓ１２０では、Ｓ１１５で取得したデータに基づいて抽出再生情報一覧画面５０を表示させる。この場合、抽出再生情報一覧画面５０には、サーバ７からダウンロード可能な抽出再生情報が一覧表示される。
【００８６】
Ｓ１２５では、抽出再生情報一覧画面５０に対する、ユーザによるダウンロード対象の抽出再生情報の選択操作を受け付ける。Ｓ１３０では、Ｓ１２５で選択された抽出再生情報をサーバ７からダウンロードし、メモリ３２又は記憶ユニット２６に保存する。Ｓ１３５では、Ｓ１３０でダウンロードした抽出再生情報を再生実行対象に指定する。
【００８７】
Ｓ１５５では、Ｓ１３５又はＳ１５０で再生実行対象に指定された抽出再生情報について、ユーザによる、その抽出再生情報に基づく再生指示がなされたか否か判断する。ユーザによる再生指示がなされなかった場合は、抽出再生処理を終了する。ユーザによる再生処理がなされた場合は、Ｓ１６０で、その抽出再生情報に対応した抽出動画オブジェクトがメモリ３２又は記憶ユニット２６に保存されているか否か判断する。
【００８８】
抽出動画オブジェクトとは、抽出再生情報が示す各シーンの動画データが結合されてなる動画データであり、本実施形態では、Ｓ１８０〜Ｓ１８５の処理が実行された場合に生成、保存される。
【００８９】
指定された抽出再生情報に対応した抽出動画オブジェクトが保存されている場合は、その保存されている抽出動画オブジェクトを読み出して再生する。この場合は、抽出再生情報に基づいてシーン毎に対応する録画番組のデータを読み出すといった処理は行われず、１つの独立した動画データとして生成、保存されている抽出動画オブジェクトが再生される。なお、すでに生成、保存されている抽出動画オブジェクトを再生する処理も、本発明の抽出再生部の処理の一例に相当する。
【００９０】
一方、Ｓ１６０で、指定された抽出再生情報に対応した抽出動画オブジェクトが保存されていない場合は、Ｓ１７０に進む。Ｓ１７０では、指定された抽出再生情報に従い、図４（ｂ），（ｃ）を用いて説明した手順で、録画番組を抽出再生させる。抽出再生とは、抽出再生情報として設定されている再生対象の各シーンを、設定されている順序で順次読み取って再生させることを意味する。
【００９１】
抽出再生情報に基づく抽出再生の終了後、Ｓ１７５で、ユーザによるその抽出再生された一連の動画の保存要求がなされたか否か判断する。保存要求がなされていない場合は、抽出再生処理を終了する。保存要求がなされた場合は、Ｓ１８０で、指定された抽出再生情報に基づいて抽出動画オブジェクトを生成する。即ち、設定されている再生対象の各シーンの動画データを抽出し、各シーンが指定順序で連続的に再生されるように各動画データを結合することで、独立した１つの動画データである抽出動画オブジェクトを生成する。そしてＳ１８５で、その生成した抽出動画オブジェクトをメモリ３２又は記憶ユニット２６に保存する。
【００９２】
（３−３）抽出再生情報作成処理
次に、図１０の抽出再生情報作成処理について説明する。図１０に示す抽出再生情報作成処理は、放送番組録再装置１に録画されている録画番組を対象として抽出再生情報を作成するための処理である。制御部３１は、図１０の抽出再生情報作成処理を開始すると、Ｓ２１０で、ユーザによる、抽出再生対象のシーンの抽出対象となる録画番組の選択操作を受け付ける。ユーザにより、録画番組全体の中から抽出再生情報に含めたいシーンを有する録画番組の選択操作（詳細は省略）が行われると、Ｓ２１５で、表示画面に、作成準備画面（図６（ａ）参照）を表示させる。
【００９３】
Ｓ２２０では、ユーザにより抽出再生情報の作成要求がなされたか否か判断する。具体的には、新規作成ボタン９７及び追加作成ボタン９８の何れかが押下されたか否か判断する。抽出再生情報の作成要求がなされた場合（即ち上記各ボタン９７，９８の何れかが押下された場合）は、Ｓ２２５で、上記各ボタン９７，９８のどちらが押下されたか判断する。
【００９４】
新規作成ボタン９７が押下された場合は、Ｓ２３０で、表示画面に、シーン抽出実行画面（図７（ａ）参照）を表示させる。Ｓ２３５では、シーン抽出処理を実行する。Ｓ２３５のシーン抽出処理の詳細は、図１１に示す通りである。即ち、シーン抽出処理に進むと、Ｓ３１０で、シーンの抽出方法についてオプション指定があるか否か判断する。具体的には、シーン抽出実行画面において、音声認識ボタン１３１，画像認識ボタン１３２，及びテキスト認識ボタン１３３のうち何れかが押下されたか否か判断する。
【００９５】
オプション指定が無い場合、即ち開始位置ボタン１２６及び終了位置ボタン１２７の押下による基本的なシーン指定操作が行われた場合は、Ｓ３１５で、その基本的なシーン指定操作に基づくシーンの抽出処理（通常抽出処理）を実行して、シーンを抽出する。登録完了ボタン１２８の押下によりシーン抽出が完了したら、Ｓ２４０（図１０）に進む。
【００９６】
オプション指定がある場合は、Ｓ３２０で、音声認識ボタン１３１，画像認識ボタン１３２，及びテキスト認識ボタン１３３のうちどのボタンが押下されたか判断する。
音声認識ボタン１３１が押下された場合は、Ｓ３２５で、音声入力を受け付ける。Ｓ３３０では、Ｓ３２５で入力された音声に対する音声認識処理が実行される。認識対象の音声の入力方法や認識可能な音声の種類、認識方法などについては既述の通りである。
【００９７】
Ｓ３３５では、抽出対象として選択されている録画番組の中から、Ｓ３３０で認識した音声が現れるシーンを少なくとも含む所定時間帯のシーンを抽出する。これにより、その抽出したシーンが、抽出再生情報の１つとして決定されたことになる。
【００９８】
Ｓ３２０で、画像認識ボタン１３２が押下された場合は、Ｓ３４０に進む。Ｓ３４０では、ユーザによる認識対象の画像の選択入力を受け付ける。Ｓ３４５では、Ｓ３４０で選択された画像の認識処理が実行される。Ｓ３５０では、抽出対象として選択されている録画番組の中から、Ｓ３４５で認識した画像が表示されるシーンを少なくとも含む所定時間帯のシーンを抽出する。これにより、その抽出したシーンが、抽出再生情報の１つとして決定されたことになる。
【００９９】
Ｓ３２０で、テキスト認識ボタン１３３が押下された場合は、Ｓ３５５に進む。Ｓ３５５では、ユーザによるテキストの入力を受け付ける。Ｓ３６０では、Ｓ３５５で入力されたテキストが表示されるシーンを含む所定時間帯のシーンを抽出する。これにより、その抽出したシーンが、抽出再生情報の１つとして決定されたことになる。
【０１００】
図１１のシーン抽出処理（即ち図１０のＳ２３５の処理）の後は、Ｓ２４０（図１０）に進む。Ｓ２４０では、Ｓ２３５のシーン抽出処理によって抽出されたシーンを示す情報を、抽出再生情報として生成し、新規登録（メモリ３２又は記憶ユニット２６に保存）する。
【０１０１】
なお、この新規登録は、詳しくは、シーン抽出実行画面１２０中の登録完了ボタン１２８が押下されることによって実行される。また、抽出されたシーンが複数ある場合は、デフォルトでは、抽出された順序がそのまま再生順序として登録される。ただし、複数のシーンをどのような順序で再生させるかについてはユーザ操作により任意に変更することができる。また、Ｓ２４０で新規登録を行うと、表示画面に、図７（ｂ）に例示した登録完了画面１４０を表示させる。即ち、ユーザにより新規に作成されて登録された抽出再生情報の詳細内容が表示される。
【０１０２】
Ｓ２２５で、作成準備画面９０（図６（ａ）参照）において追加作成ボタン９８が押下された場合は、Ｓ２４５に進む。Ｓ２４５では、登録済みの抽出再生情報の一覧を表示させる。
【０１０３】
Ｓ２５０では、新たにシーンを追加させたい追加対象の抽出再生情報の選択を受け付ける。Ｓ２５０で、ユーザにより追加対象の抽出再生情報が選択されると、Ｓ２５５で、表示画面に、選択された追加対象の抽出再生情報の編集画面１１０（図６（ｂ）参照）を表示させる。
【０１０４】
Ｓ２６０では、ユーザによる、新たなシーンを追加する位置の選択入力を受け付ける。具体的には、図６（ｂ）を用いて説明したように、編集画面１１０中の追加選択チェックボックス１１３に対する選択操作を受け付ける。シーン追加位置が選択されると、Ｓ２６５で、表示画面に、シーン抽出実行画面１２０（図７（ａ））を表示させる。そして、Ｓ２７０で、シーン抽出処理を実行する。Ｓ２７０のシーン抽出処理の詳細は図１１に示した通りである。
【０１０５】
Ｓ２７５では、Ｓ２７０のシーン抽出処理によって抽出されたシーンを示す情報を、Ｓ２６０で指定された追加位置に追加することにより、追加対象の抽出再生情報の登録内容を更新する。Ｓ２７５の更新登録後は、Ｓ２８０に進み、その更新登録した抽出再生情報をサーバ７へアップロードする。
【０１０６】
なお、Ｓ２８０におけるサーバ７へのアップロードは、アップロード前にユーザに要否を問いかけ、ユーザによりアップロード指示がなされた場合に行うようにしてもよい。また、図１０では、追加作成ボタン９８が押下された場合の処理として、Ｓ２４５〜Ｓ２７５に示すように、既存の抽出再生情報に対してシーンを追加する処理を示しているが、図示は省略したものの、ユーザからの要求に応じてシーンを削除する処理も行われる。ユーザによるシーンの削除要求は、具体的には、図６（ｂ）を用いて説明したように、編集画面１１０に対する入力操作（具体的には削除選択チェックボックス１１４の押下操作）によって行われる。
【０１０７】
（３−４）録画番組削除処理
次に、図１２の録画番組削除処理について説明する。図１２に示す録画番組削除処理は、録画されている録画番組を、録画されている全録画番組のデータ量に応じて（換言すれば記憶ユニット２６の空き容量に応じて）自動的に削除するための処理である。
【０１０８】
制御部３１は、図１２の録画番組削除処理を開始すると、Ｓ４１０で、記憶ユニット２６に録画されている全ての録画番組のデータ量（総量）が規定値以上か否か判断する。総量が規定値未満の場合は録画番組削除処理を終了する。総量が規定値以上の場合は、Ｓ４１５で、処理対象を、全ての録画番組のうちユーザによりプロテクトされていない録画番組に限定する。これにより、以下（Ｓ４２０以下）の処理では、録画番組のうちプロテクトされている録画番組は処理対象から除外される。
【０１０９】
Ｓ４２０では、処理対象の録画番組の中で、低画質化可能番組があるか否か判断する。低画質化可能番組とは、録画された後の再生頻度が低く、且つ低画質化処理がまだ施されていない録画番組を意味する。低画質化処理は、Ｓ４４０で実行される処理である。
【０１１０】
再生頻度が低いか否かの判断方法は適宜決めることができ、例えば、再生回数が１回以下の録画番組を再生頻度の低い録画番組と判断してもよい。もちろん、他の基準に従って判断してもよい。
【０１１１】
また、低画質化可能番組の条件の１つとして再生頻度が低いということもあくまでも一例である。例えば、再生頻度が高いものは、見方を変えれば、ユーザが何度も見ていてもう保存しておく必要性が少なくなっているものととらえることもできる。そのため、上記例とは逆に、再生頻度が高いことを低画質化可能番組の条件の１つとしてもよい。
【０１１２】
Ｓ４２０で、低画質化可能番組があると判断した場合は、Ｓ４３５で、低画質化可能番組のうち最も古い（つまり放送日が最も古い）録画番組を抽出する。そしてＳ４４０で、その抽出した録画番組に対して低画質化処理を実行する。低画質化処理とは、録画番組の画質を低下させることによりその録画番組のデータ量を低減させる処理である。Ｓ４４０で低画質化処理を実行した後は、Ｓ４１０に戻る。
【０１１３】
Ｓ４２０で、低画質化可能番組がないと判断した場合は、Ｓ４２５で、録画番組全体のうち最も古いものを抽出する。そしてＳ４３０で、その抽出した録画番組のデータ全体のうち、ＥＰＧ情報及び指定保存情報を、当該録画番組に対応した過去録画番組情報として記憶ユニット２６に記憶させ、それら各情報以外の他の情報（映像データ等）は削除する。Ｓ４３０の処理後はＳ４１０に戻る。
【０１１４】
なお、Ｓ４３０の処理において、指定保存情報とは、ＥＰＧ情報以外に保存しておくべき情報として指定されている情報であり、ユーザが任意に指定することもできる。例えば、映像データは削除するものの音声データは残しておきたい場合は、音声データを指定保存情報に指定することで残すことができる。
【０１１５】
（４）実施形態の効果
以上説明した本実施形態の放送番組録再装置１によれば、ユーザは、抽出再生情報を取得することで、録画番組の中から所望のシーンを容易且つ効率的に再生させることができる。
【０１１６】
抽出再生情報は、種々の方法で取得できる。例えば、ユーザが自ら作成してその作成した抽出再生情報を利用して抽出再生させることができる。一旦作成した抽出再生情報は保存しておくことができるため、一度作成すれば、その作成した抽出再生情報については、その後何度でも利用して抽出再生させることができる。
【０１１７】
また、サーバ７に蓄積されている抽出再生情報をダウンロードして、その抽出再生情報に従って録画番組を抽出再生させることもできる。サーバ７には、当該放送番組録再装置１のユーザからだけでなく、他の不特定多数のユーザからも、各々が作成した抽出再生情報をアップロードして蓄積させることができる。そして、各ユーザは、様々なユーザにより作成された様々な種類の抽出再生情報の中から所望の抽出再生情報をダウンロードして利用することができる。
【０１１８】
また、本実施形態では、抽出再生情報を利用することで、その抽出再生情報に従った抽出再生を実行させることができるだけでなく、その抽出再生情報を構成する各シーンの動画データを結合して１つの独立した抽出動画オブジェクトを生成することができる。そのため、例えばある抽出再生情報について抽出動画オブジェクトを生成しておくことで、その後、仮にその抽出再生情報を取得できなくなったり、その抽出再生情報を構成する特定のシーンが含まれている元の録画番組のデータ自体が消去されてしまったりしても、抽出動画オブジェクトが残っている限り、その抽出再生情報に対応したシーンを容易且つ効率的に再生させることができる。
【０１１９】
また、本実施形態では、録画されている全ての録画番組の中から再生させたい所望の録画番組を探す方法として、図３に例示した録画番組一覧を表示させてその中からユーザ自ら探し出す方法以外に、テキスト検索及び音声検索を利用することもできる（図８参照）。そのため、ユーザは、テキスト検索や音声検索を利用することで、所望の録画番組を効率良く且つ迅速に探し出すことができる。
【０１２０】
また、ユーザ自ら抽出再生情報を作成する場合、新しい抽出再生情報を新規作成できることはもちろん、既に作成されて保存されている抽出再生情報に対して新たなシーンの情報を追加したり逆にある特定のシーンを削除したりするなどして、その既存の抽出再生情報を更新することもできる。そのため、よりユーザのニーズに合った抽出再生情報を作成し保存しておくことができる。
【０１２１】
また、抽出再生対象として、ＣＭのみ或いはＣＭをまぜることもできる。そのため、録画番組の中から特定のジャンルのＣＭを集めて抽出再生させることもできる。
また、抽出再生情報を作成する際、再生対象にしたい所望のシーンを種々の方法で抽出することができる（図７及び図１１参照）。具体的に、録画番組を実際に再生させながらユーザ操作によって抽出することもできるし（Ｓ３１５）、音声認識、画像認識、あるいはテキスト認識を利用して所望のシーンを抽出することもできる（Ｓ３２０〜）。そのため、ユーザは、抽出したいシーンの内容や数などに応じた適切な抽出方法を用いてシーンを抽出することができ、所望の抽出再生情報を効率良く且つ迅速に作成することができる。
【０１２２】
なお、本実施形態において、放送受信ユニット２１は本発明の受信部の一例に相当し、制御ユニット及び記憶ユニット２６は本発明の録画部の一例に相当する。また、各種プログラムを実行する制御部３１は、本発明の情報取得部、抽出再生部、シーン特定部、情報生成部、及び動画データ生成部の一例に相当する。
【０１２３】
また、Ｓ１３５及びＳ１５０の処理は本発明の情報取得部が実行する処理の一例に相当し、Ｓ１６５及びＳ１７０の処理は本発明の抽出再生部が実行する処理の一例に相当し、Ｓ２３５，Ｓ２７０及びＳ４７５の処理は本発明のシーン特定部が実行する処理の一例に相当し、Ｓ２４０，Ｓ２７５及びＳ４８０の処理は本発明の情報生成部が実行する処理の一例に相当し、Ｓ１８０の処理は本発明の動画データ生成部が実行する処理の一例に相当する。
【０１２４】
［他の実施形態］
以上、本発明の実施形態について説明したが、本発明は上記実施形態に限定されることなく、種々の形態を採り得る。
【０１２５】
（１）抽出再生情報を作成する具体的手順として、上記実施形態では、図１０を用いて説明したが、図１０に示した作成手順はあくまでも一例である。抽出再生情報は種々の方法で作成することができる。
【０１２６】
例えば、ある出来事や行事の様子が中継放送され、その後、ニュース番組でその内容の一部が紹介されることがある。その場合、中継放送された番組全体の中から、ニュース番組で紹介されたシーンを含む所定期間のシーンを抽出して、抽出再生情報として作成、登録できるようにしてもよい。
【０１２７】
より具体的な例を挙げると、例えば夕刻にプロ野球の試合が中継放送され、その後深夜にその試合の結果がニュース番組で放送されたとする。そして、そのニュース番組の中では、その試合全体のうち例えば５回裏の得点シーンと９回表の試合終了のシーンが紹介されたとする。このような場合、夕刻に放送された試合中継の録画番組の中から、ニュース番組で紹介（放映）された２つのシーン毎に、そのシーンを少なくとも含む所定期間のシーンを抽出して、その抽出した各シーンを抽出再生情報として作成、登録できるようにしてもよい。
【０１２８】
このような作成方法は、制御部３１が例えば図１３に示す抽出再生情報作成処理を実行することで実現できる。即ち、制御部３１は、図１３の抽出再生情報作成処理を開始すると、Ｓ４６０で、ユーザによるベース録画番組の選択操作を受け付ける。ベース録画番組とは、抽出対象のシーンを指定するための録画番組であり、上記例ではニュース番組が該当する。
【０１２９】
Ｓ４６５では、ベースシーン抽出処理を実行する。このベースシーン抽出処理は、Ｓ４６０で選択されたベース録画番組の中から、ユーザのシーン選択操作に従ってベースシーンを抽出する処理である。
【０１３０】
Ｓ４７０では、ユーザによる、シーン抽出対象の録画番組の選択操作を受け付ける。Ｓ４７５では、Ｓ４７０で選択されたシーン抽出対象の録画番組の中から、Ｓ４６５で抽出されたシーン毎に、そのシーンを少なくとも含む所定期間のシーンを抽出する。なお、ここでいう所定期間は、適宜決めることができる。Ｓ４８０では、Ｓ４７５で抽出したシーンを含む抽出再生情報を作成し、登録する。
【０１３１】
このような方法で抽出再生情報を作成できるようにすることで、例えば上記のプロ野球の例において、ユーザは、ニュース番組を見た後、５回裏の得点シーンに至る過程（例えば５回裏が始まってから得点するまでの一部始終）をより詳しく知りたいと思ったり、試合終了後の球場の様子（例えばヒーローインタビューの様子）を見てみたいと思ったりした場合に、上記所定期間を適宜調整することでそのユーザの要望に応えることができる。
【０１３２】
（２）録画番組の再生は、図８に示した録画番組再生処理に限らず種々の方法で行えるようにしてもよい。例えば、録画番組を単にそのまま再生させるのではなく、アレンジを加えて再生できるようにしてもよい。
【０１３３】
録画番組に対してどのようなアレンジを加えるかについては種々考えられる。例えば、録画されているＣＭを削除したり、他のＣＭに差し替えできるようにしてもよい。ＣＭ差し替えの場合、差し替え後のＣＭの内容は、例えば放送番組録再装置１のメーカ、アプリのベンダー、或いはユーザなどの意向を反映させられるようにしてもよい。例えば、ユーザがサーバ７に対して特定自動車メーカの特定車種のＣＭを集中的に見たい旨を通知することで、録画番組の再生時、ＣＭのシーンでは録画されているＣＭではなくサーバ７からその特定車種の最新ＣＭを受信して再生させるようにしてもよい。
【０１３４】
また、録画されているＣＭをそのまま再生させることを基本としつつも、録画当時の内容がすでに古くなっていて現在は最新バージョンのＣＭが放映されている場合は、そのＣＭについては、その最新バージョンのＣＭに差し替わるようにしてもよい。
【０１３５】
また、録画番組中のどの期間にＣＭが挿入されているかについては、種々の方法で検索、特定することができる。例えば、放送データ中にＣＭの位置（時間的位置）を示すデータが付加されている場合にはそのデータに基づいてＣＭの位置を判断するようにしてもよい。また例えば、録画番組中の音声に基づいて判断するようにしてもよい。例えば、録画番組中、ＣＭであることが想定されるような特定の音声（例えば特定の言葉）の有無に基づいてＣＭの開始、終了タイミングを判定するようにしてもよい。
【０１３６】
また、録画番組に対するアレンジの方法として、例えば、番組中の音声や画像の一部を一時的に消去して、その消去されている内容をクイズ形式でユーザに問いかけるような方法も考えられる。例えば、ある録画番組の再生開始後、ある特定の人物が初めて登場したことを画像認識処理に基づいて判定した場合、再生を自動的に一時停止させると共にその人物の顔を一時的に消去して、その人物が誰であるのかをユーザにクイズ形式で問いかけるようにしてもよい。そして、一定期間経過後に、通常再生を再開するようにしてもよい。
【０１３７】
なお、画像認識した人物の名前をサーバ７との通信等によって取得でき、且つ、ユーザの音声を音声認識にて認識できるように構成すれば、ユーザが正解するまで一時停止させたままにしたり、ユーザが正解したら何らかの褒め言葉を音声出力させたり、逆に不正解が所定回数続いたら何らかの悲観的な言葉を音声出力させたり、ユーザが例えば「降参」と発言したら通常再生に復帰させたりするなどの、より高度なアレンジを実現することができる。
【０１３８】
（３）サーバ７にアップロードされている抽出再生情報に対して、他のユーザが評価を与えることができるようにしてもよい。そして、その評価値を参考にして抽出再生情報を選択、ダウンロードできるようにしてもよい。
【０１３９】
（４）放送番組録再装置において同時に録画可能なチャンネル数は特に限定されない。また、同時録画可能なチャンネル全てを常時録画させる必要性は必ずしもない。録画させるタイミングやチャンネルをユーザが任意に設定できるようにしてもよい。またそもそも、本発明は、同時に１チャンネルしか録画できない装置に対しても適用可能である。
【０１４０】
（５）抽出再生情報の内容は、図４（ｂ）に示した内容に限定されない。少なくとも、どの番組（どのチャンネル）のどの時間帯のシーンなのかがわかるような内容であればよい。
【０１４１】
また、抽出再生情報の生成方法は、上記実施形態（特に図１１）で説明した方法に限定されない。例えば、抽出したいシーンのチャンネル及び時間帯の情報がわかっていれば、その情報をもとに生成してもよい。例えば、放送局から、ある特定人物が登場しているシーンの時間帯に関する情報が提供される場合には、その情報をもとに好みの抽出再生情報を生成することができる。
【０１４２】
録画されている番組の中からどの録画番組のどのシーンを再生させるのかという情報を提供できる限り、抽出再生情報の生成方法やその具体的内容は限定されない。
また、抽出再生情報を取得する方法について、上記記実施形態では、サーバ７からダウンロードして取得する方法、及び放送番組録再装置１内に保存されている抽出再生情報を利用する方法を説明したが、これら取得方法はあくまでも一例である。例えば、抽出再生情報が記憶された記憶媒体（例えばＵＳＢメモリ、フラッシュメモリカードなど）から抽出再生情報を読み取ってそれを利用できるようにしてもよい。また例えば、様々なバリエーションの抽出再生情報を有料又は無料で提供する提供元（例えば放送局）があれば、その提供元から所望の抽出再生情報を取得して利用できるようにしてもよい。
【０１４３】
（６）抽出再生情報に基づく再生を行う際に、対応する抽出動画オブジェクトが保存されていない場合は（Ｓ１６０：ＮＯ）、まず抽出動画オブジェクトを生成して、それを再生するようにしてもよい。つまり、Ｓ１６０で否定判定された場合に、まずＳ１８０の処理を実行して、その抽出動画オブジェクトを再生し、その後、Ｓ１７５の保存要否判断を行って、必要に応じてＳ１８５の保存処理を行うようにしてもよい。
【０１４４】
（７）図８〜図１３に示した各処理は、上記実施形態では、制御部３１がプログラムを実行することにより実現されるものとして説明したが、これらソフトウェア処理の一部又は全てを、例えばＡＳＩＣやＦＰＧＡなどの各種のロジック回路等によって実現してもよい。
【０１４５】
（８）本発明は、放送信号を受信して録画することが可能なあらゆる機器に対して適用可能である。例えば、ＰＣ９や携帯通信端末１１が、放送信号を受信して録画する機能を備えていれば、そのＰＣ９や携帯通信端末１１に対して本発明を適用可能である。
【０１４６】
（９）上記実施形態では、録再アプリが放送番組録再装置１にインストールされていて各種処理が放送番組録再装置１で行われる例を示したが、録再アプリの機能を放送番組録再装置１と他の装置（例えばＰＣ９や携帯通信端末１１）とで分担させることで、ＰＣ９や携帯通信端末１１から放送番組録再装置１にアクセスできるようにしてもよい。即ち、ＰＣ９や携帯通信端末１１から放送番組録再装置１にアクセスして、抽出再生情報に基づく再生用のデータを受信し、その受信した再生用のデータをＰＣ９や携帯通信端末１１において再生させることができるようにしてもよい。また、ＰＣ９や携帯通信端末１１から放送番組録再装置１に抽出動画オブジェクトが保存されている場合にはその抽出動画オブジェクトのデータを放送番組録再装置１からＰＣ９や携帯通信端末１１にダウンロードして再生させることができるようにしてもよい。
【０１４７】
抽出再生情報の生成や保存、サーバ７へのアップロードについても、ＰＣ９や携帯通信端末１１から行えるようにしてもよい。放送番組録再装置１に録画されている録画番組の削除など、放送番組録再装置１の基本的な操作についてもＰＣ９や携帯通信端末１１から遠隔操作で行えるようにしてもよい。
【０１４８】
上述したような、ＰＣ９や携帯通信端末１１から録再アプリの機能を実行させることができるようにするためには、ＰＣ９等側に、録再アプリの機能の一部（放送番組録再装置１に必要なデータを送信したり逆に必要なデータを要求して取得したりする機能）を実行させるためのアプリ（操作元側のアプリ）をインストールし、放送番組録再装置１側に、録再アプリの機能のうち他の一部（主にＰＣ９等側からの指示に従った各種機能）を実行させるためのアプリ（操作対象側のアプリ）をインストールすればよい。
【０１４９】
放送番組の録画及びその録画データの保存自体は放送番組録再装置１で行うことを前提としつつ、ＰＣ９や携帯通信端末１１において、所望の抽出再生情報を選択して再生させたり所望の抽出再生情報を生成したりすることができる限り、放送番組録画装置１及びＰＣ９等のそれぞれにおけるアプリの具体的な内容は適宜決めることができる。
【０１５０】
（１０）その他、上記実施形態における１つの構成要素が有する機能を複数の構成要素として分散させたり、複数の構成要素が有する機能を１つの構成要素に統合させたりしてもよい。また、上記実施形態の構成の少なくとも一部を、同様の機能を有する公知の構成に置き換えてもよい。また、上記実施形態の構成の一部を省略してもよい。なお、特許請求の範囲に記載した文言のみによって特定される技術思想に含まれるあらゆる態様が本発明の実施形態である。
【０１５１】
［実施形態から把握される技術思想］
以上詳述した種々の実施形態から、少なくとも以下の技術思想が把握される。
［１］少なくとも１つのチャンネルの放送番組の放送信号を受信する受信部と、
前記受信部により受信された前記放送信号に基づいて前記放送番組のデータを記憶することにより前記放送番組を録画するように構成された録画部と、
前記録画部により録画された放送番組である録画番組のうち少なくとも１つの中から、所定のシーン特定方法に従って、その録画番組中の特定の時間帯のシーンである特定シーンを少なくとも１つ特定するように構成されたシーン特定部と、
前記シーン特定部により特定された前記特定シーンを再生させるための、前記特定シーンを有する前記録画番組のチャンネル及びその録画番組中のその特定シーンの時間帯を示す情報を含む抽出再生情報を生成するように構成された情報生成部と、
前記情報生成部により生成された前記抽出再生情報に基づいて、前記録画部により録画された録画番組のデータの中から前記特定シーンのデータを抽出し、その抽出したデータに基づいて前記特定シーンを再生するように構成された抽出再生部と、
を備えることを特徴とする番組再生装置。
【０１５２】
このように構成された番組再生装置によれば、シーン特定方法に基づいて、所望の録画番組中の所望のシーンを特定することができ、所望の抽出再生情報を生成することができる。これにより、ユーザは、自身が望む抽出再生情報を生成でき、録画番組の中から自身が望むシーンを効率良く再生させて視聴することができる。
［２］上記［１］の番組再生装置であって、
前記シーン特定部は、
前記録画番組を再生させるように構成された録画番組再生部と、
前記録画番組再生部により前記録画番組が再生されている間、その再生中における所定の開始タイミング、及びその開始タイミングよりも後の所定の終了タイミングの指定入力を取得するように構成されたタイミング取得部と、
を備え、
前記シーン特定部は、
前記録画番組再生部による再生対象の前記録画番組の中から、少なくとも、前記タイミング取得部により取得された前記開始タイミングから前記終了タイミングまでの間のシーンを、前記特定シーンとして特定するように構成されている
ことを特徴とする番組再生装置。
【０１５３】
このように構成された番組再生装置によれば、ユーザは、録画番組を実際に再生させながら、特定シーンの開始タイミング及び終了タイミングを指定することができる。そのため、特定シーンを適切に指定することができる。
【０１５４】
なお、「録画番組が再生されている間」とは、必ずしも連続的に再生されている状態であることのみを意味しない。再生開始後、再生が一時停止されてその後再開される場合における、一時停止中の時間帯も、「録画番組が再生されている間」に含まれる。
【０１５５】
また、上記実施形態においては、Ｓ３１５の処理、即ち図７のシーン抽出実行画面１２０を用いて主に開始位置ボタン１２６と終了位置ボタン１２７を用いたシーン抽出操作が、上記［２］の構成における録画番組再生部及びタイミング取得部の処理の一例に相当する。
［３］上記［１］又は［２］の番組再生装置であって、
前記シーン特定部は、
抽出対象の画像を示す情報を取得するように構成された画像情報取得部、
を備え、
前記シーン特定部は、
前記録画番組再生部による再生対象の前記録画番組の中から、少なくとも、前記画像情報取得部により取得された画像が再生される時間を含む所定の時間帯のシーンを、前記特定シーンとして特定するように構成されている
ことを特徴とする番組再生装置。
【０１５６】
このように構成された番組再生装置によれば、画像を指定することで、その画像が現れる時間（場面）を含むシーンを特定シーンとして指定させることができる。そのため、ある特定の画像が現れるシーンを効率的に再生させたい場合に特に有効である。
【０１５７】
なお、上記実施形態においては、Ｓ３４０及びＳ３４５の処理が、上記［３］の構成における画像情報取得部の処理の一例に相当する。
［４］上記［１］〜［３］の何れか１つの番組再生装置であって、
前記シーン特定部は、
抽出対象のテキストを示す情報を取得するように構成されたテキスト情報取得部、
を備え、
前記シーン特定部は、
前記録画番組再生部による再生対象の前記録画番組の中から、少なくとも、前記テキスト情報取得部により取得されたテキストが表示される時間を含む所定の時間帯のシーンを、前記特定シーンとして特定するように構成されている
ことを特徴とする番組再生装置。
【０１５８】
このように構成された番組再生装置によれば、テキストを指定することで、そのテキストが現れる時間（場面）を含むシーンを特定シーンとして指定させることができる。そのため、ある特定のテキストが現れるシーンを効率的に再生させたい場合に特に有効である。
【０１５９】
なお、ここでいうテキストとは、例えばテロップなど、番組の映像に通常含まれるテキストはもちろん、それ以外の通常は表示されない（或いは表示の有無を切り替え可能な）テキスト（例えば字幕放送における字幕）も含まれる。
【０１６０】
また、上記実施形態においては、Ｓ３５５の処理が、上記［４］の構成におけるテキスト情報取得部の処理の一例に相当する。
［５］上記［１］〜［４］の何れか１つの番組再生装置であって、
前記情報取得部により生成された前記抽出再生情報を所定の記憶装置に記憶させるように構成された記憶部と、
前記記憶装置に記憶されている前記抽出再生情報を取得するように構成された情報取得部と、
を備え、
前記抽出再生部は、前記情報取得部により取得された前記抽出再生情報に基づいて前記特定シーンの再生を行うように構成されている
ことを特徴とする番組再生装置。
【０１６１】
このように構成された番組再生装置によれば、一度生成された抽出再生情報を記憶装置に記憶させておくことで、以後、その抽出再生情報に対応した再生内容（以下「抽出コンテンツ」ともいう）については、それを再び再生させたい場合には記憶部からその抽出再生情報を取得して再生させることができる。
【０１６２】
なお、上記実施形態においては、放送番組録再装置１内の記憶ユニット２６及びサーバ７が、上記［５］の構成における記憶装置の一例に相当し、Ｓ２４０，Ｓ２７５，Ｓ２８０の処理が記憶部の処理の一例に相当する。
［６］上記［５］の番組再生装置であって、
前記情報取得部により取得された前記抽出再生情報の内容を変更するための外部からの変更指示を取得するように構成された変更指示取得部と、
前記変更指示取得部により取得された前記変更指示に従って前記抽出再生情報の内容を変更するように構成された変更部と、
前記記憶部に記憶されている、前記変更部により変更される前の元の前記抽出再生情報を、前記変更部による変更後の前記抽出再生情報に更新して記憶されるように構成された更新部と、
を備えることを特徴とする番組再生装置。
【０１６３】
このように構成された番組再生装置によれば、一度生成されて記憶されている抽出再生情報を必要に応じて内容を変更して更新することができる。そのため、一度生成した抽出再生情報を必要に応じて更新しながら永続的に有効利用することができる。
【０１６４】
なお、上記実施形態において、追加作成ボタン９８（図６（ａ）参照）の押下操作を受け付ける処理（即ち追加作成ボタン９８の押下によって図１０のＳ２２５からＳ２４５に進む処理）が、上記［６］の構成における変更指示取得部による処理の一例に相当する。
［７］上記［５］又は［６］の番組再生装置であって、
前記記憶装置は当該番組再生装置に備えられていることを特徴とする番組再生装置。
［８］上記［５］〜［７］の何れか１つの番組再生装置であって、
前記記憶装置は、当該番組再生装置とは別に設けられ、
当該番組再生装置は、前記記憶装置とデータ通信可能に構成されている
ことを特徴とする番組再生装置。
【０１６５】
番組再生装置とは別に設けられた記憶装置に対して抽出再生情報を記憶させたり、逆にその記憶装置から抽出再生情報を取得したりできるようにすることで、記憶装置とデータ通信可能である限り、記憶装置に記憶されている様々な抽出再生情報（例えば不特定多数のユーザが生成して記憶装置に記憶させた様々な抽出再生情報）を利用することができる。つまり、複数のユーザ間で、各々が生成した抽出再生情報を共有することができる。
［９］上記［５］〜［８］の何れか１つの番組再生装置であって、
前記記憶装置に記憶されている前記抽出再生情報のうち少なくとも何れか１つを指定する指定入力を取得するように構成された指定入力取得部を備え、
前記情報取得部は、前記指定入力取得部により取得された前記指定入力によって指定された前記抽出再生情報を前記記憶装置から取得するように構成されている
ことを特徴とする番組再生装置。
【０１６６】
なお、上記実施形態においては、Ｓ１２５及びＳ１４５の処理が、指定入力取得部による処理の一例に相当する。
［１０］少なくとも１つのチャンネルの放送番組の放送信号を受信するように構成された受信部と、
前記受信部により受信された前記放送信号に基づいて前記放送番組のデータを記憶することにより前記放送番組を録画するように構成された録画部と、
前記録画部により録画された放送番組である録画番組のうち少なくとも１つの中からそれぞれ少なくとも１つの特定シーンを抽出して再生させるための、前記特定シーンを有する前記録画番組のチャンネル及びその録画番組中のその特定シーンの時間帯を示す情報を含む抽出再生情報を取得するように構成された情報取得部と、
前記情報取得部により取得された抽出再生情報に基づいて、前記録画部により録画された録画番組のデータの中から前記特定シーンのデータを抽出し、その抽出した特定シーンのデータに基づいて前記特定シーンの動画データを生成するように構成された動画データ生成部と、
を備え、
前記抽出再生部は、前記動画データ生成部により生成された前記動画データを再生するように構成されている
ことを特徴とする番組再生装置。
【０１６７】
このように構成された番組再生装置によれば、抽出再生情報に対応した特定シーンの再生内容が動画データとして生成され、その動画データが再生される。そのため、一度動画データが生成された後は、その後仮にその動画データに対応した抽出再生情報を取得できなくなったり、その抽出再生情報が示す特定シーンを含む元の録画番組のデータ自体が消去されてしまったりしても、動画データが残っている限り、所望の抽出再生情報に対応した特定シーンを容易且つ効率的に再生することができる。
［１１］上記［１０］の番組再生装置であって、
前記動画データ生成部により生成され他前記動画データを所定の記憶装置に記憶させるように構成された記憶部と、
前記情報取得部により取得された前記抽出再生情報に対応した前記動画データが前記記憶部に記憶されているか否か判断するように構成された動画有無判断部と、
を備え、
前記抽出再生部は、前記動画有無判断部によって前記抽出再生情報に対応した前記動画データが前記記憶部に記憶されていると判断された場合はその記憶されている前記動画データを再生し、前記動画有無判断部によって前記動画データが前記記憶部に記憶されていないと判断された場合は、抽出再生情報に基づいて前記録画部により録画された録画番組のデータの中から前記特定シーンのデータを抽出し、その抽出したデータに基づいて前記特定シーンを再生する
ことを特徴とする番組再生装置。
【０１６８】
即ち、抽出再生情報に基づく特定シーンの再生を行う場合に、対応する動画データが既にあればそれを再生させ、対応する動画データがなければ、抽出再生情報に基づいて録画番組から特定シーンを抽出して再生させる。そのため、動画データの有無に応じて適切且つ効率的に再生処理を行うことができる。
【０１６９】
なお、上記実施形態においては、Ｓ１８５の処理が上記［１０］における記憶部の処理の一例に相当し、Ｓ１６０の処理が動画有無判断部の処理の一例に相当する。
［１２］上記［１］〜［１１］の何れか１つの番組再生装置であって、
前記抽出再生情報は、複数の前記特定シーンが抽出対象として設定されていて、その抽出対象の特定シーン毎の前記チャンネル及び前記時間帯を示す情報と、各抽出対象の再生順序を示す情報とを少なくとも含む
ことを特徴とする番組再生装置。
【符号の説明】
【０１７０】
１，２００…放送番組録再装置、３…テレビ、５…無線ルータ、７…サーバ、１０…ネットワーク、２１…放送受信ユニット、２２…操作入力ユニット、２３…音入力ユニット、２４…有線通信ユニット、２５…無線通信ユニット、２６…記憶ユニット、２７…再生ユニット、２８…テレビ接続ユニット、３０…制御ユニット、３１…制御部、３２…メモリ、５０…抽出再生情報一覧画面、５６…ダウンロードボタン、９０…作成準備画面、９１，１２１…再生画面、９２，１２２…再生ボタン、９３，１２３…一時停止ボタン、９４，１２４…巻き戻しボタン、９５，１２５…早送りボタン、９６，１１２…戻りボタン、９７…新規作成ボタン、９８…追加作成ボタン、１００…インターネット、１１０…編集画面、１１１…選択完了ボタン、１１３…追加選択チェックボックス、１１４…削除選択チェックボックス、１２０…シーン抽出実行画面、１２６…開始位置ボタン、１２７…終了位置ボタン、１２８…登録完了ボタン、１２９…キャンセルボタン、１３１…音声認識ボタン、１３２…画像認識ボタン、１３３…テキスト認識ボタン、１４０…登録完了画面。
【図１】
2016143904.tif 000003
【図２】
2016143904.tif 000004
【図３】
2016143904.tif 000005
【図５】
2016143904.tif 000006
【図８】
2016143904.tif 000007
【図９】
2016143904.tif 000008
【図１０】
2016143904.tif 000009
【図１１】
2016143904.tif 000010
【図１２】
2016143904.tif 000011
【図１３】
2016143904.tif 000012
【図４】
2016143904.tif 000013
【図６】
2016143904.tif 000014
【図７】
2016143904.tif 000015